(57)【要約】【課題】  平行平板にゴースト光遮蔽機能を持たせた光走査装置を提供する。【解決手段】  複数の走査光学系が１つの光偏向手段５を挟んで対向して配置され、走査光学系の内側にあって光偏向手段５近傍に防音ガラス、防塵ガラスとしての機能を有する平行平板６を有する光走査装置において、平行平板６は、副走査方向に偏心した光学素子７で反射する斜光領域１１を有する。【選択図】  図５
2007017915.tif 000002
【特許請求の範囲】
【請求項１】
複数の走査光学系が１つの光偏向手段を挟んで対向して配置され、各走査光学系は前記光偏向手段近傍に配置された平行平板と、該平行平板を間に挟んで前記光偏向手段と反対側に配置された光学素子と、を有する光走査装置において、
前記光学素子は、副走査方向に偏位して配置され、
前記平行平板は、前記光学素子で反射する斜光領域を有することを特徴とする光走査装置。
【請求項２】
複数の走査光学系が１つの光偏向手段を挟んで対向して配置され、各走査光学系は、光源と、前記光偏向手段近傍に配置された平行平板と、該平行平板を間に挟んで前記光偏向手段と反対側に配置された光学素子と、を有する光走査装置において、
前記光源は、副走査方向に偏位して配置され、
前記平行平板は、前記光源からのビームによる斜光領域を有することを特徴とする光走査装置。
【請求項３】
請求項１または２記載の光走査装置を搭載したことを特徴とする画像形成装置。
【発明の詳細な説明】
【技術分野】
【０００１】
本発明は、画像信号によって変調されたビームを感光体上に走査する光走査装置、及びこの光走査装置を搭載したデジタルカラー複写機、カラーレーザプリンタなどのデジタル方式の画像形成装置に関する。
【背景技術】
【０００２】
近年、画像形成装置の処理速度の高速化に伴い、複数の走査光学系が１つの光偏向手段を挟んで対向して配置された光走査装置が普及している。このような光走査装置においては、光偏向手段を共有化したことにより新たなゴースト光について考慮する必要が生じている。
具体的には、ポリゴンミラーを中心にして、その両側に光源、レンズ、ミラー等の光学部品を備えた走査光学系を配置した場合に、一方の走査光学系の光源から出射されたビームの一部はポリゴンミラーの直近位置に配置された平行平板を透過し、ポリゴンミラーで反射してから当該平行平板を戻り通過し、副走査方向に偏心した走査レンズで反射してから再度平行平板を透過して他方の光学系に入射するゴースト光となる。
例えば、特許文献１には遮光部材を用いてゴースト光を遮光する技術が提案されている。
【特許文献１】特開２００１−３１８３３５公報
【発明の開示】
【発明が解決しようとする課題】
【０００３】
小型化、高精度化が要求される光走査装置にあっては、なるべく部品点数は抑える必要がある。ところで、上記の光走査装置においては、走査光学系の内側にあって光偏向手段近傍に防音ガラス、防塵ガラスとしての機能を有する平行平板を有するのが一般的である。
本発明は、部品点数の増大を招くことなく、平行平板にゴースト光遮蔽機能を持たせた光走査装置及び画像形成装置を提供することを目的とする。
【課題を解決するための手段】
【０００４】
上記目的を達成するために、請求項１記載の発明は、複数の走査光学系が１つの光偏向手段を挟んで対向して配置され、各走査光学系は前記光偏向手段近傍に配置された平行平板と、該平行平板を間に挟んで前記光偏向手段と反対側に配置された光学素子と、を有する光走査装置において、前記光学素子は、副走査方向に偏位して配置され、前記平行平板は、前記光学素子で反射する斜光領域を有することを特徴とする。
請求項２の発明は、複数の走査光学系が１つの光偏向手段を挟んで対向して配置され、各走査光学系は、光源と、前記光偏向手段近傍に配置された平行平板と、該平行平板を間に挟んで前記光偏向手段と反対側に配置された光学素子と、を有する光走査装置において、前記光源は、副走査方向に偏位して配置され、前記平行平板は、前記光源からのビームによる斜光領域を有することを特徴とする。
請求項３の発明は、請求項１または２記載の光走査装置を搭載したことを特徴とする。
【発明の効果】
【０００５】
本発明によれば、平行平板に遮光領域を設け、光源もしくは光学素子を副走査方向に偏心する光学系にすることにより、新たな部品を追加することなく、ゴーストの影響を低減できる。平行平板上に遮光領域を設けるため、ゴースト光対策の部材が必要なくコストダウンに有利となる。
【発明を実施するための最良の形態】
【０００６】
以下、本発明の実施形態を図面に従って説明する。
図１は対向走査型マルチビームの光走査装置の上面図である。光源（半導体レーザ；マルチビーム）１（１ａ１、１ａ２、１ｂ１、１ｂ２）、カップリングレンズ２、シリンドリカルレンズ３、仮想ミラー、ポリゴンミラー（光偏向手段）５、防音ガラス、防塵ガラスとしての機能を有する平行平板６、走査レンズ７、８、防塵ガラス９、感光体面（被走査面）１０が示されている。
図２は対向走査型マルチビーム走査光学系のポリゴンミラー５以降の正面図である。図１に示す４つの光源１ａ１、１ａ２、１ｂ１、１ｂ２からの光束はポリゴンミラー５により反射し、走査光学系を通り被走査面１０に結像する。
光源１ａ１からのビームは、上段の走査レンズ７ａ、走査レンズ８ａ、反射ミラーを通り被走査面１０ａ１に結像する。光源１ａ２からのビームは下段の走査レンズ７ａ、走査レンズ８ａ、反射ミラーを通り被走査面１０ａ２に結像する。光源１ｂ１からのビームは下段の走査レンズ７ｂ、走査レンズ８ｂ、反射ミラーを通り被走査面１０ｂ１に結像する。光源１ｂ２からのビームは上段の走査レンズ７ｂ、走査レンズ８ｂ、反射ミラーを通り被走査面１０ｂ２に結像する。
図３、図４は走査レンズ７で反射したゴースト光が反対側の走査光学系を通り、反対側の被走査面に達する例を示す上面図、斜視図である。図５は第１の実施形態に係る光走査装置におけるゴースト光遮蔽の様子を示す斜視図、図６は同、正面図である。
光源１ａのビームの一部は平行平板６ａを透過し、ポリゴンミラー５で反射し、平行平板６ａを通過し、副走査方向に偏心した走査レンズ７で反射してゴースト光となる。
本発明の特徴的な構成は、走査レンズ７を副走査方向に偏心（偏位）させた点と、図５に示すように平行平板６ａ、６ｂに遮光領域１１と、非遮光領域１２を設けた点にある。正規の光は非遮光領域１２を経てポリゴンミラー５に入射する一方、ゴースト光は遮光領域１１にて遮光されてポリゴンミラー５に入射できないため、他方の走査光学系に入射しなくなるように構成している。遮光領域１１の位置、範囲は、ゴースト光が発生する領域に定め、正規の光については非遮光領域１２を通過できるように設定する。遮蔽領域１１の厚みは任意である。
このように本発明では、遮光領域１１は、副走査方向に偏心した走査レンズ７で反射したゴースト光を遮る位置に形成される。
このように本発明によれば、平行平板６に遮光領域１１を設け、光学素子を副走査方向に偏心する光学系にすることにより、新たな部品を追加することなく、ゴーストの影響を低減できる。
【０００７】
図７は本発明の第２の実施形態に係る光走査装置におけるゴースト光遮蔽の様子を示す正面図である。
この実施形態では、光源１が副走査方向に偏心（偏位）している点、平行平板６に遮光領域１１と非遮光領域１２を設けた構成が特徴的である。遮光領域１１の位置、範囲は、ゴースト光が発生する領域に定め、正規の光については非遮光領域１２を通過できるように設定する。遮蔽領域１１の厚みは任意である。
副走査方向に偏心した光源１からのビームは、平行平板６を透過し、ポリゴンミラー５で反射し、平行平板６を通過し、走査レンズ７で反射してゴースト光が発生するが、このゴースト光は、平行平板６に設けられた遮光領域１１で遮光される。ここで遮光領域１１は、副走査方向に偏心した光源１のビームによるゴースト光を遮る位置に形成される。
このように本発明によれば、平行平板６に遮光領域１１を設け、光源１を副走査方向に偏心する光学系にすることにより、新たな部品を追加することなく、ゴーストの影響を低減できる。
図８は本発明の光走査装置が搭載される画像形成装置の一例を示す構成図である。感光体２１の周囲に、帯電装置２２、光走査装置２３、現像装置２４、転写装置２５、クリーニング装置２６が配置されている。給紙装置２７から給紙された用紙は、転写部で画像が転写され、定着装置２８でその画像が定着された後で排紙トレイ２９に排紙される。
【図面の簡単な説明】
【０００８】
【図１】対向走査型マルチビームの光走査装置の上面図である。
【図２】対向走査型マルチビーム走査光学系のポリゴンミラー以降の正面図である。
【図３】走査レンズで反射したゴースト光が反対側の走査光学系を通り、反対側の被走査面に達する例を示す上面図である。
【図４】走査レンズで反射したゴースト光が反対側の走査光学系を通り、反対側の被走査面に達する例を示す斜視図である。
【図５】実施例１の光走査装置におけるゴースト光遮蔽の様子を示す斜視図である。
【図６】実施例１の光走査装置におけるゴースト光遮蔽の様子を示す正面図である。
【図７】実施例２の光走査装置におけるゴースト光遮蔽の様子を示す正面図である。
【図８】本発明の光走査装置が搭載される画像形成装置の一例を示す構成図である。
【符号の説明】
【０００９】
１  光源、５  ポリゴンミラー（光偏向手段）、６  平行平板、７  走査レンズ（光学素子）、１１  斜光領域、１２  非遮光領域。
【図１】
2007017915.tif 000003
【図２】
2007017915.tif 000004
【図３】
2007017915.tif 000005
【図４】
2007017915.tif 000006
【図５】
2007017915.tif 000007
【図６】
2007017915.tif 000008
【図７】
2007017915.tif 000009
【図８】
2007017915.tif 000010